(57)【要約】【課題】２つのワークのスナップリングによる結合を容易に且つ迅速に行なうことができるようにする。【解決手段】第１のワークを載置した状態でスライド可能な載置スライド部３０と、載置スライド部３０に第１のワークを載置すると共に第１のワークにスナップリングを配置した状態で載置スライド部３０をスライドさせたときにスナップリングに当接してスナップリングの第１のワークにおける位置決めを行なうスナップリング位置決め部４０と、位置決めされたスナップリングを絞るスナップリング絞り保持部５０とによりスナップリングの取付装置２０を構成し、第１のワークを載置すると共に第１のワークにスナップリングを配置した状態でスライドさせてスナップリングの第１のワークにおける位置決めを行ない、その状態でスナップリングを絞って第２のワークを第１のワークに対して配置してスナップリングの絞りを解除することにより２つのワークを結合する。【選択図】図１
2007152504.tif 000002
【特許請求の範囲】
【請求項１】
第１のワークと第２のワークとをスナップリングを用いて結合する際に用いられるスナップリングの取付装置であって、
前記第１のワークを載置した状態で所定方向にスライド可能な載置スライド手段と、
前記載置スライド手段に前記第１のワークが載置されていると共に該載置された第１のワークにスナップリングが配置されている状態で該載置スライド手段を前記所定方向にスライドさせたときに少なくとも前記スナップリングに当接して該スナップリングの位置決めを行なうスナップリング位置決め手段と、
前記スナップリング位置決め手段による位置決めがなされた状態で前記スナップリングを絞るスナップリング絞り手段と、
を備えるスナップリングの取付装置。
【請求項２】
前記載置スライド手段は、前記第１のワークを載置するための位置決め部を有する手段である請求項１記載のスナップリングの取付装置。
【請求項３】
前記スナップリング絞り手段は、前記スナップリングを絞った状態で保持可能な手段である請求項１または２記載のスナップリングの取付装置。
【請求項４】
前記スナップリング絞り手段は、前記載置スライド手段に対して前記所定方向にスライド可能に該載置スライド手段に配置されてなる手段である請求項１ないし３いずれか記載のスナップリングの取付装置。
【請求項５】
請求項１ないし４いずれか記載のスナップリングの取付装置であって、
前記第１のワークは、外周の所定位置に前記スナップリングにより前記第２のワークと結合する第１の結合部が形成されてなり、
前記第２のワークは、前記第１のワークの前記第１の結合部を外周側から覆うように重ねたときに内周側の前記第１の結合部に整合する位置に前記スナップリングにより前記第１の結合部に結合される第２の結合部が形成されてなる、
スナップリングの取付装置。
【発明の詳細な説明】
【技術分野】
【０００１】
本発明は、スナップリングの取付装置に関し、詳しくは、第１のワークと第２のワークとをスナップリングを用いて結合する際に用いられるスナップリングの取付装置に関する。
【背景技術】
【０００２】
二つの部材をスナップリングを用いて結合する際に用いられる治具としては、一方の部材の内面部に挿入された縮径状態のスナップリングを押し込むためのスナップリング押し込み部を有するものが提案されている（例えば、特許文献１参照）。この治具を用いて二つの部材を結合する際には、一方の部材の挿入部に他方の部材の端部と縮径状態のスナップリングとを挿入し、この状態で治具を用いてスナップリングを押し込んで一方の部材のリング溝にスナップリングを落とし込むことにより、一方の部材と他方の部材とを結合する。
【特許文献１】特開平７ー２０５０４４号公報
【発明の開示】
【発明が解決しようとする課題】
【０００３】
上述の治具では、スナップリングを縮径させた状態で一方の部材の内部に押し込むため、スナップリングの外周面と一方の部材の内周面との間に摩擦力が発生し、場合によっては縮径させた状態が解除したり、押し込むのに時間を要したりする場合が生じる。また、二つの部材を結合するための作業用のスペースが僅かしか設けられていないときにはスナップリングによる結合に高い精度が要求され、作業に時間を要してしまう。
【０００４】
本発明のスナップリングの取付装置は、第１のワークと第２のワークとのスナップリングによる結合をより容易に行なうことができるようにすることを目的の一つとする。また、本発明のスナップリングの取付装置は、第１のワークと第２のワークとのスナップリングによる結合をより迅速に行なうことができるようにすることを目的の一つとする。
【課題を解決するための手段】
【０００５】
本発明のスナップリングの取付装置は、上述の少なくとも一つの目的を達成するために以下の手段を採った。
【０００６】
本発明のスナップリングの取付装置は、
第１のワークと第２のワークとをスナップリングを用いて結合する際に用いられるスナップリングの取付装置であって、
前記第１のワークを載置した状態で所定方向にスライド可能な載置スライド手段と、
前記載置スライド手段に前記第１のワークが載置されていると共に該載置された第１のワークにスナップリングが配置されている状態で該載置スライド手段を前記所定方向にスライドさせたときに少なくとも前記スナップリングに当接して該スナップリングの位置決めを行なうスナップリング位置決め手段と、
前記スナップリング位置決め手段による位置決めがなされた状態で前記スナップリングを絞るスナップリング絞り手段と、
を備えることを要旨とする。
【０００７】
この本発明のスナップリングの取付装置では、第１のワークを載置スライド手段に載置すると共に第１のワークにスナップリングを配置し、その状態で載置スライド手段を所定方向にスライドさせてスナップリング位置決め手段によるスナップリングの第１のワークにおける位置決めを行なう。そして、この状態でスナップリング絞り手段によりスナップリングを絞って第２のワークを第１のワークに対して配置し、スナップリング絞り手段によるスナップリングの絞りを解除して第１のワークと第２のワークとを結合する。このように、第１のワークを載置すると共にこの載置した第１のワークにスナップリングを配置して所定方向にスライドさせるだけでスナップリングの第１のワークにおける位置決めを行なうことができ、その状態でスナップリング絞り手段によりスナップリングを絞った状態として第２のワークを配置し、スナップリングの絞りを解除することにより、第１のワークと第２のワークとを結合することができる。即ち、第１のワークと第２のワークとのスナップリングによる結合を容易に且つ迅速に行なうことができる。
【０００８】
こうした本発明のスナップリングの取付装置において、前記載置スライド手段は、前記第１のワークを載置するための位置決め部を有する手段であるものとすることもできる。こうすれば、第１のワークを迅速に且つ容易に載置スライド手段に載置することができる。
【０００９】
また、本発明のスナップリングの取付装置において、前記スナップリング絞り手段は、前記スナップリングを絞った状態で保持可能な手段であるものとすることもできる。こうすれば、第２のワークの配置をより容易に行なうことができる。この結果、第１のワークと第２のワークとのスナップリングによる結合をより容易に行なうことができる。
【００１０】
さらに、本発明のスナップリングの取付装置において、前記スナップリング絞り手段は、前記載置スライド手段に対して前記所定方向にスライド可能に該載置スライド手段に配置されてなる手段であるものとすることもできる。こうすれば、スナップリング絞り手段を載置スライド手段に対して所定方向にスライドさせながらスナップリングを絞ることができる。
【００１１】
あるいは、本発明のスナップリングの取付装置において、前記第１のワークは、外周の所定位置に前記スナップリングにより前記第２のワークと結合する第１の結合部が形成されてなり、前記第２のワークは、前記第１のワークの前記第１の結合部を外周側から覆うように重ねたときに内周側の前記第１の結合部に整合する位置に前記スナップリングにより前記第１の結合部に結合される第２の結合部が形成されてなる、ものとすることもできる。
【発明を実施するための最良の形態】
【００１２】
次に、本発明を実施するための最良の形態を実施例を用いて説明する。
【実施例】
【００１３】
図１は本発明の一実施例としての２つのワーク（第１のワーク，第２のワーク）１０，１５をスナップリング１９を用いて結合する際に用いられるスナップリングの取付装置２０の上面図であり、図２は図１のスナップリングの取付装置２０をＡ−Ａ面から見たＡＡ視図である。また、図３は第１のワーク１０の外観を示す斜視図であり、図４は第１のワーク１０をＡ−Ａ面から見たＡＡ視図であり、図５は第２のワーク１５の外観を示す斜視図であり、図６は第２のワーク１５をＡ−Ａ面から見たＡＡ視図であり、図７はスナップリング１９の外観を示す外観図であり、図８は第１のワーク１０と第２のワーク１５とのスナップリング１９による結合の様子を示す説明図である。図８では、見易さを考慮してスナップリング１９にハッチングを付した。以下、説明の容易のために、まず、第１のワーク１０や第２のワーク１５などについて簡単に説明し、その後、スナップリングの取付装置２０について説明する。
【００１４】
第１のワーク１０は、図３および図４に示すように、外径Ｒ１の略円筒状に形成された円筒部１１と、円筒部１１の上部（図３および図４中上部）に設けられ外径Ｒ１より小さい外径Ｒ２の円筒状に形成された上端部１２とを有し、円筒部１１の上面から上端部１２側に距離Ｌ１の位置にはその外径Ｒ３が上端部１２の外径Ｒ２よりもスナップリング１９の幅ＷＳ（図７参照）だけ小さくなるよう溝（以下、この溝を結合部１３という）が形成されている。第２のワーク１５は、図５および図６に示すように、第１のワーク１０の上端部１２の外径Ｒ２より若干大きい内径Ｒ４の円筒状に形成されており、内周面の下端部（図６中下端部）から距離Ｌ１の位置にスナップリング１９の幅ＷＳより浅い溝（以下、この溝を結合部１６という）が形成されていると共に下端部の２カ所（対向する位置）に距離Ｌ１に相当する高さよりも高い高さＨ１で幅Ｗ１の矩形の切り欠き部１７が形成されている。スナップリング１９は、図７に示すように、その外径Ｒ５が第２のワーク１５の内径Ｒ４より大きくなるよう形成されている。こうした第１のワーク１０と第２のワーク１５は、図８に示すように、スナップリング１９が第１のワーク１の結合部１３と第２のワーク１５の結合部１６とに嵌り込むことにより結合される。
【００１５】
実施例のスナップリングの取付装置２０は、図１および図２に示すように、第１のワーク１０を載置した状態で基盤２２に敷設されたレール２４上をスライド可能な載置スライド部３０と、第１のワーク１０が載置スライド部３０に載置されると共に第１のワーク１０の円筒部１１の上面にスナップリング１９が載置された状態で載置スライド部３０を図１および図２中右方向にスライドさせたときにスナップリング１９に当接してスナップリング１９の第１のワーク１０における位置決めを行なうスナップリング位置決め部４０と、載置スライド部３０に敷設されたレール３８上をスライド可能でありスナップリング位置決め部４０により位置決めされたスナップリング１９を絞ると共に絞った状態で保持可能なスナップリング絞り保持部５０と、を備える。
【００１６】
載置スライド部３０は、第１のワーク１０を載置するための位置決め部３２を有しスナップリング位置決め部４０に近接離間させる方向に基盤２２に敷設されたレール２４上をスライド可能な台座３１と、位置決め部３２に載置された第１のワーク１０を固定するための固定部３４と、操作者が台座３１をスライドさせるためのハンドル３６とを有する。
【００１７】
スナップリング位置決め部４０は、幅Ｗ２が切り欠き部１７の幅Ｗ１よりも狭く且つ厚みＤ１が距離Ｌ１に相当する厚みである矩形の板状に形成され、載置スライド部３０における位置決め部３２側の略延長上に、基盤２２の上面からの高さＨ２が基盤２２の上面から位置決め部３２の上面までの高さＨ３と第１のワーク１０の円筒部１１の高さＨ４との和となるよう配置されている。したがって、載置スライド部３０の位置決め部３２に第１のワーク１０が載置されると共に第１のワーク１０の円筒部１１の上面にスナップリング位置決め部４０側とは反対側にスナップリング１９の開放端がくるようにスナップリング１９が載置された状態で載置スライド部３０がスナップリング位置決め部４０側にスライドしたときに、スナップリング１９はスナップリング位置決め部４０に当接して掬い上げられて位置決めされる。このときのスナップリングの取付装置２０の上面図を図９に示し、図９のスナップリングの取付装置２０のＡ−Ａ視図を図１０に示す。
【００１８】
スナップリング絞り保持部５０は、載置スライド部３０の台座３１上における位置決め部３２側とは反対側に位置決め部３２に近接離間させる方向に敷設されたレール３８上をスライド可能な台座５２と、台座５２をスライドさせると共に円弧を描くように図１および図２中左右方向に操作可能なトグル５６と、トグル５６の円弧方向の操作を図１および図２中左右方向の力に変換して軸５８に伝達する方向変換機構５７と、位置決め部３２の上面からの高さＨ５が第１のワーク１０の円筒部１１の高さＨ４となる位置に配置されスナップリング１９を絞ったりそれを解除したりするために開閉するクランプ部５４（例えば、ラジオペンチの先端部分などを用いることができる）と、図１および図２中左方向への軸５８の移動に伴ってクランプ部５４を狭めると共に図１および図２中右方向への軸５８の移動に伴ってクランプ部５４を広げる開閉機構５５と、を有する。操作者は、スナップリング位置決め部４０によりスナップリング１９が位置決めされた状態でトグル５６を掴んで台座５２を位置決め部３２側にスライドさせ、クランプ部５４の先端がスナップリング１９の開放端に引っ掛かったときにトグル５６を図１および図２中右方向（図２中点線参照）に操作することにより、スナップリング１９を絞ることができる。このときのスナップリングの取付装置２０の様子を図１１に示す。そして、この状態で操作者がトグル５６から手を離してもスナップリング１９を絞った状態は保持される。
【００１９】
次に、こうして構成されたスナップリングの取付装置２０を用いて第１のワーク１０と第２のワーク１５とのスナップリング１９による結合を行なう際の動作について説明する。まず、載置スライド部３０の位置決め部３２に第１のワーク１０を載置すると共に第１のワーク１０の円筒部１１の上面にスナップリング１９を載置し、その状態で載置スライド部３０の台座３１をスナップリング位置決め部４０側にスライドさせ、スナップリング位置決め部４０によりスナップリング１９の位置決めを行なう。このときの様子については前述した図９および図１０に示した。そして、この状態でスナップリング絞り保持部５０の台座５２を位置決め部３２側にスライドさせてクランプ部５４の先端をスナップリング１９の開放端に引っ掛け、その状態でスナップリング１９を絞る。このときの様子については前述した図１１に示した。このとき、スナップリング１９は、第１のワーク１０の結合部１３に略完全に嵌り込んだ状態となる。次に、第１のワーク１０の円筒部１１の上面に、第１のワーク１０の結合部１３を覆うように且つ第２のワーク１５の切り欠き部１７がスナップリング位置決め部４０およびスナップリング絞り保持部５０のクランプ部５４と整合するように第２のワーク１５を載置し、この状態でスナップリング１９の絞りを解除することにより、第１のワーク１０の結合部１３と第２のワーク１５の結合部１６とにスナップリング１９が嵌り込んで第１のワーク１０と第２のワーク１５とを結合する。なお、スナップリング１９の絞りを解除したときにスナップリング１９の一部が第２のワーク１５の結合部１６の縁に引っ掛かることがあるが、この場合には、第２のワーク１５の切り欠き部１７でスナップリング１９を若干移動させることにより第１のワーク１０の結合部１３と第２のワーク１５の結合部１６とにスナップリング１９を嵌め込むことができる。
【００２０】
以上説明した実施例のスナップリングの取付装置２０によれば、第１のワーク１０を載置すると共に第１のワーク１０に対してスナップリング１９を配置してスライド載置部３０をスライドさせるだけでスナップリング１９の第１のワーク１０における位置決めを行なうことができ、その状態でスナップリング絞り保持部４０によりスナップリング１９を絞って第２のワーク１５を第１のワーク１０に対して配置してスナップリング１９の絞りを解除することにより第１のワーク１０と第２のワーク１５とを結合することができるから、第１のワーク１０と第２のワーク１５とのスナップリング１９による結合を容易に且つ迅速に行なうことができる。
【００２１】
また、実施例のスナップリングの取付装置２０によれば、載置スライド部３０は、位置決め部３２を有するから、第１のワーク１０を容易に且つ迅速に載置スライド部３０に載置することができる。
【００２２】
さらに、実施例のスナップリングの取付装置２０によれば、スナップリング絞り保持部５０は、スナップリング１９を絞った状態で保持することができるから、第１のワーク１０に対して第２のワーク１５を容易に配置することができる。
【００２３】
実施例のスナップリングの取付装置２０では、載置スライド部３０は、位置決め部３２を有するものとしたが、位置決め部３２を有さないものとしてもよい。
【００２４】
実施例のスナップリングの取付装置２０では、スナップリング絞り保持部５０は、スナップリング１９を絞った状態で保持可能なものを用いるものとしたが、スナップリング１９を絞ることができるものであれば、絞った状態で保持できないものを用いるものとしてもよい。この場合、第１のワーク１０に対して第２のワーク１５を配置する際には、操作者は、スナップリング１９を絞って保持しながら第２のワーク１５を配置すればよい。
【００２５】
実施例のスナップリングの取付装置２０では、スナップリング絞り保持部５０は、位置決め部３２に近接離間させる方向にスライド可能に載置スライド部３０に配置するものとしたが、スライドしない状態で載置スライド部３０に配置するものとしてもよい。
【００２６】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２７】
本発明は、スナップリングの取付装置の製造産業に利用可能である。
【図面の簡単な説明】
【００２８】
【図１】本発明の一実施例としてのスナップリングの取付装置２０の上面図である。
【図２】図１のスナップリングの取付装置２０をＡ−Ａ面から見たＡＡ視図である。
【図３】第１のワーク１０の外観を示す斜視図である。
【図４】図３の第１のワーク１０をＡ−Ａ面から見たＡＡ視図である。
【図５】第２のワーク１５の外観を示す斜視図である。
【図６】図５の第２のワーク１５をＡ−Ａ面から見たＡＡ視図である。
【図７】スナップリングの外観を示す外観図である。
【図８】第１のワーク１０と第２のワーク１５とのスナップリング１９による結合の様子を示す説明図である。
【図９】スナップリング１９の位置決めを行なう際のスナップリングの取付装置２０の様子を示す説明図である。
【図１０】図９のスナップリングの取付装置２０をＡ−Ａ面から見たＡＡ視図である。
【図１１】スナップリング絞り保持部５０によりスナップリング１９を絞ったときのスナップリングの取付装置２０の様子を示す説明図である。
【符号の説明】
【００２９】
１０  第１のワーク、１１  円筒部、１２  上端部、１３  結合部、１５  第２のワーク、１６  結合部、１７  切り欠き部、１９  スナップリング、２０  スナップリングの取付装置、２２  基盤、２４  レール、３０  載置スライド部、３２  位置決め部、３６  ハンドル、３８  レール、４０  スナップリング位置決め部、５０  スナップリング絞り保持部、５２  台座、５４  クランプ部、５５  開閉機構、５６  トグル、５７  方向変換機構。
【図１】
2007152504.tif 000003
【図２】
2007152504.tif 000004
【図３】
2007152504.tif 000005
【図４】
2007152504.tif 000006
【図５】
2007152504.tif 000007
【図６】
2007152504.tif 000008
【図７】
2007152504.tif 000009
【図８】
2007152504.tif 000010
【図９】
2007152504.tif 000011
【図１０】
2007152504.tif 000012
【図１１】
2007152504.tif 000013